(57)【要約】      （修正有）【課題】水質測定センサが割り当てられた複数の浄化槽の水質を、浄化槽の型式や水質測定センサの種類によらず、一元的に管理するのに有効な水質管理システムを提供する。【解決手段】水質管理装置１００は、複数の浄化槽１１０と、それぞれの浄化処理部１１２に割り当てられた水質測定センサ１２０と、浄化処理部１１２の水質を管理する単一の水質管理センター１５０と、測定されたセンサ測定値を水質管理センター１５０へと伝送する通信端末１３０及び通信回線１４０を備え、また水質管理センター１５０は、複数の浄化槽１１０のそれぞれを識別可能な浄化槽識別情報を記憶するデータテーブルと、複数の浄化槽１１０のそれぞれに割り当てられた水質測定センサ１２０の型式を示すセンサ型式情報とを組み合せた情報を記憶するデータテーブルと、演算処理部によって演算された推定水質値を、浄化槽識別情報に対応させて出力する出力処理部とを含む構成とされる。【選択図】図１
2010264415.tif 000002
【特許請求の範囲】
【請求項１】
被処理水の浄化処理を行なう浄化処理部を収容する複数の浄化槽と、
前記複数の浄化槽のそれぞれの前記浄化処理部に割り当てられた水質測定センサと、
前記水質測定センサによって測定された前記浄化処理部の水質を管理する単一の水質管理装置と、
前記水質測定センサによって測定されたセンサ測定値を前記水質管理装置へと伝送する伝送装置と、
を備える水質管理システムであって、
前記水質管理装置は、データベース、演算処理部及び出力処理部を備え、
前記データベースは、
前記複数の浄化槽のそれぞれを識別可能な浄化槽識別情報を記憶する第１のデータテーブルと、
前記複数の浄化槽のそれぞれの型式を示す浄化槽型式情報と、前記複数の浄化槽のそれぞれに割り当てられた前記水質測定センサの型式を示すセンサ型式情報とを組み合せた組み合わせ情報を記憶する第２のデータテーブルと、
前記組み合わせ情報を前記浄化槽識別情報に対応させて記憶する第３のデータテーブルと、
前記水質測定センサに関するセンサ測定値を水質値に換算可能な変換式情報を、前記組み合わせ情報或いは前記浄化槽識別情報に対応させて記憶する第４のデータテーブルと、を含み、
前記演算処理部は、前記伝送装置によって伝送された前記水質測定センサによるセンサ測定値を、前記データベースの前記第４のデータテーブルに記憶された前記変換式情報に適用することにより推定水質値を演算する構成であり、
前記出力処理部は、前記演算処理部によって演算された推定水質値を、前記浄化槽識別情報に対応させて出力する構成であることを特徴とする水質管理システム。
【請求項２】
請求項１に記載の水質管理システムであって、
前記水質管理装置は、前記水質測定センサが割り当てられた浄化処理部において採水された水の水質分析結果に基づいて、前記データベースの前記第４のデータテーブルに既に記憶されている前記変換式情報を新たな変換式情報に更新する更新処理部を更に備え、
前記演算処理部は、前記水質測定センサによって測定されたセンサ測定値を、前記第４のデータテーブルにおいて前記更新処理部によって新たに更新された変換式情報に適用することにより推定水質値を演算することを特徴とする水質管理システム。
【請求項３】
請求項２に記載の水質管理システムであって、
前記浄化処理部における採水日時を示す情報と、当該採水日時に前記浄化処理部において採水されたことを示す情報とを対応させて記憶する記憶処理部を更に備え、
前記記憶処理部に記憶された情報が前記伝送装置を介して前記水質管理装置に伝送され、当該採水日時に前記浄化処理部において採水された水の水質分析結果とともに、前記データベースの前記第５のデータテーブルにて記憶される構成であることを特徴とする水質管理システム。
【発明の詳細な説明】
【技術分野】
【０００１】
本発明は、複数の浄化槽のそれぞれの浄化処理部に割り当てられた水質測定センサによって、複数の浄化槽の水質を管理する技術に関するものである。
【背景技術】
【０００２】
従来、一般家庭等から排出される生活排水や、産業廃水等の汚水などの被処理水を処理する浄化槽には、浄化処理部の水質を管理するべく水質測定センサが設置されているものがある。例えば下記特許文献１には、浄化槽において、消毒処理後の水に含まれる残留塩素を水質センサによって検出する技術が開示されている。ところで、この種の浄化槽の水質管理に際しては、水質測定センサが設置された複数の浄化槽の水質を集中管理可能な水質管理システムが要請される。その場合、複数の浄化槽の型式が異なり、また浄化槽に組み合わせられる水質測定センサの種類が各浄化槽で異なるような場合であっても、浄化槽の型式や水質測定センサの種類によらず、複数の浄化槽の水質を一元的に管理することが必要とされる。
【特許文献１】特開平４−２３５７９８号公報
【発明の開示】
【発明が解決しようとする課題】
【０００３】
そこで本発明は、上記の点に鑑みてなされたものであり、水質測定センサが割り当てられた複数の浄化槽の水質を、浄化槽の型式や水質測定センサの種類によらず、一元的に管理するのに有効な水質管理システムを提供することを課題とする。
【課題を解決するための手段】
【０００４】
前記課題を解決するために、本発明が構成される。本発明は、典型的には一般家庭等から排出される生活排水や、産業廃水等の汚水などの被処理水を処理する複数の浄化槽の水質を管理する水質管理システムに適用することが可能とされる。
【０００５】
本発明にかかる水質管理システムは、被処理水の浄化処理を行なう浄化処理部を収容する複数の浄化槽と、複数の浄化槽のそれぞれの浄化処理部に組み合わせられる水質測定センサと、水質測定センサによって測定された浄化処理部の水質を管理する単一の水質管理装置と、水質測定センサによって測定されたセンサ測定値を水質管理装置へと伝送する伝送装置を少なくとも備える。ここで、各浄化槽の浄化処理部に割り当てられた水質測定センサに関し、当該水質測定センサは、浄化処理部に設置された１または複数の水質測定センサの中から適宜に選択して浄化処理部に割り当てられることが可能とされる。ここでいう「浄化処理部」は、各浄化槽の被処理水が槽外へ流出するまでになされる１または複数の水処理領域からなる水処理領域群として規定される。伝送装置として、典型的には通信端末と、この通信端末のデータ通信に用いるインターネット、携帯電話網、公衆電話回線、無線などの通信回線のうちの少なくとも１つの通信回線とを組み合わせた構成を用いることができる。
【０００６】
特に、この水質管理装置は、第１のデータテーブル、第２のデータテーブル、第３のデータテーブル及び第４のデータテーブルを含むデータベースと、演算処理部及び出力処理部とを備える構成とされる。データベースに含まれる各データテーブルは、複数のデータを組み合わせて配置した「テーブル」或いは「データ群」とも称呼される。
【０００７】
第１のデータテーブルは、複数の浄化槽のそれぞれを識別可能な浄化槽識別情報を少なくとも記憶するデータテーブルとして構成される。ここでいう「浄化槽識別情報」として、典型的には複数の浄化槽の中での特定が可能な、浄化槽の個体情報（固定番号等）が用いられる。第２のデータテーブルは、複数の浄化槽のそれぞれの型式を示す浄化槽型式情報と、複数の浄化槽のそれぞれに割り当てられた水質測定センサの型式を示すセンサ型式情報とを組み合せた組み合わせ情報を少なくとも記憶するデータテーブルとして構成される。ここでいう「浄化槽型式情報」として、典型的には浄化槽における処理方式或いは処理方式の組み合わせを示す情報や、処理性能を示す情報や、浄化槽の大きさや人槽を示す情報等が用いられる。また、ここでいう「センサ型式情報」として、典型的には水質測定センサの種類及び対象水質等の特定が可能な、水質測定センサの個体情報（固定番号等）が用いられる。第３のデータテーブルは、浄化槽型式情報とセンサ型式情報との組み合わせ情報を、浄化槽識別情報に対応させて少なくとも記憶するデータテーブルとして構成される。第４のデータテーブルは、水質測定センサに関するセンサ測定値を水質値に換算可能な変換式情報を、浄化槽型式情報とセンサ型式情報との組み合わせ情報或いは浄化槽識別情報に対応させて少なくとも記憶するデータテーブルとして構成される。すなわち、浄化槽型式情報とセンサ型式情報との組み合わせ情報に応じて、センサ測定値を水質値に換算するのに使用する変換式情報が特定されることとなる。なお、複数の浄化槽に割り当てられた水質測定センサの型式が全て同一のときには、センサ型式情報を省略し、組み合わせ情報を浄化槽型式情報に置き換えて、浄化槽型式情報に応じて変換式情報が特定されるようにすることもできる。また、複数の浄化槽の型式が全て同一のときには、浄化槽型式情報を省略し、組み合わせ情報をセンサ型式情報に置き換えて、センサ型式情報のみから変換式情報が特定されるようにすることもできる。
ここでいう「水質測定センサに関するセンサ測定値」に関しては、当該センサ測定値として、水質測定センサから入力される電流値或いは電圧値を用いてもよいし、或いは水質測定センサから入力される電流値或いは電圧値から導出される値を用いてもよい。また、ここでいう「水質値」には、ＢＯＤ（生物化学的酸素要求量）、濁度、透視度、ＳＳ（浮遊懸濁物質量）、ｐＨ、ＤＯ（溶存酸素）、紫外線（ＵＶ）吸光度等のうちの１または複数が包含される。
【０００８】
演算処理部は、水質測定センサによって測定されたセンサ測定値を、データベースの第４のデータテーブルに記憶された変換式情報に適用することにより推定水質値を演算する機能を有する。出力処理部は、演算処理部によって演算された推定水質値を、浄化槽識別情報に対応させて出力する機能を有する。
【０００９】
本発明にかかる水質管理システムの上記構成によれば、水質測定センサが割り当てられた複数の浄化槽の水質を、浄化槽の浄化槽型式や水質測定センサのセンサ型式によらず、単一の水質管理装置において一元的に管理することが可能となる。また、水質測定センサ自体に変換式情報を記憶させる必要がなく水質測定センサのコスト低減を図ることができ、また複数の浄化槽の水質に関する情報を単一の水質管理装置において一括して処理する構成であるため、水質管理システムの構築に必要なコストを抑えることが可能となる。
【００１０】
また、本発明にかかる更なる形態の水質管理システムでは、前記の水質管理装置は、更新処理部を更に備える構成であるのが好ましい。この更新処理部は、水質測定センサが割り当てられた浄化処理部において採水された水の水質分析結果に基づいて、データベースの第４のデータテーブルに既に記憶されている変換式情報を新たな変換式情報に更新する機能を有する。そして、演算処理部は、水質測定センサによって測定されたセンサ測定値を、第４のデータテーブルにおいて更新処理部によって新たに更新された変換式情報に適用することにより推定水質値を演算する。このような構成によれば、常に新しい変換式情報を用いることによって、水質測定センサのセンサ測定値から導出される水質値の信頼性向上を図ることが可能となる。
【００１１】
また、本発明にかかる更なる形態の水質管理システムは、記憶処理部を更に備える構成であるのが好ましい。この記憶処理部は、浄化処理部における採水日時を示す情報と、当該採水日時に浄化処理部において採水されたことを示す情報とを対応させて記憶する機能を有する。ここでいう第５のデータテーブルは、前述の第１〜第４のデータテーブルを含むデータベースとは別個に構成されるデータベースに含まれてもよいし、或いは第１〜第４のデータテーブルを含むデータベースに含まれて、これら第１〜第４のデータテーブルと別個に設けられてもよいし、或いは第１〜第４のデータテーブルのいずれかに含まれるように構成されてもよい。そして、この記憶処理部に記憶された情報が伝送装置を介して水質管理装置に伝送され、当該採水日時に前記浄化処理部において採水された水の水質分析結果とともに、データベースの第５のデータテーブルにて記憶される。このような構成によれば、所定の採水日時に採水された水の水質分析結果と、当該採水日時に水質測定センサによって測定されたセンサ測定値を適正に対応させることが可能となる。
【発明の効果】
【００１２】
以上のように、本発明によれば、水質測定センサが割り当てられた複数の浄化槽の水質を、浄化槽の型式や水質測定センサの種類によらず、一元的に管理するのに有効な水質管理システムを構築することが可能となった。
【発明を実施するための最良の形態】
【００１３】
以下に、本発明における一実施の形態の水質管理システムの構成等を図面に基づいて説明する。なお、本実施の形態は、一般家庭等から排出される排水（被処理水）の浄化処理を行う複数の浄化槽からなる水質管理システムについて説明するものである。
【００１４】
本発明に係る「水質管理システム」の一実施の形態である水質管理システム１００の概要が図１に示される。図１に示すように、本実施の形態の水質管理システム１００は、複数（図１中では３つ）の浄化槽１１０、水質測定センサ１２０、通信端末１３０、通信回線１４０、水質管理センター１５０を少なくとも含む構成とされる。更に後述する水質検査部１７０を含めて水質管理システム１００とすることもできる。
【００１５】
各浄化槽１１０は、槽状に成形された浄化槽本体１１１を有し、この浄化槽本体１１１に浄化処理部１１２が収容されている。この浄化処理部１１２は、各浄化槽の被処理水が槽外へ流出するまでになされる１または複数の水処理領域からなる水処理領域群として規定される。この浄化処理部１１２の典型的な構成に関し、当該浄化処理部１１２は、被処理水中に含まれる夾雑物を流入バッフル（図示省略）などの固液分離手段を用いて被処理水から分離する処理を行う夾雑物除去槽、被処理水から泡沫を分離する処理を行う泡沫分離槽、被処理水中の有機汚濁物質を嫌気処理（還元）する嫌気濾床槽、被処理水中の有機汚濁物質を好気処理（酸化）する接触ばっ気槽、被処理水中の浮遊物質をろ過処理するろ過槽、被処理水中の浮遊物質を沈殿・除去する沈澱槽、被処理水を一定時間滞留させるとともに、各処理槽での滞留時間を調整する流量調整機能を備えた流量調整部、消毒装置から供給された消毒剤によって被処理水を消毒処理する消毒処理部等のうちの１または複数を含む構成とされるのが好ましい。この浄化処理部１１２において浄化処理された後の水は、浄化槽本体１１１外へと流出する。この場合、各浄化槽１１０は、浄化槽本体１１１外へと流出した水をそのまま放流する浄化槽として構成されてもよいし、或いは浄化槽本体１１１外へと流出した水をトイレや散水用の水として再利用する水再利用装置として構成されてもよい。ここでいう複数の浄化槽１１０が、本発明における「複数の浄化槽」に相当し、また各浄化槽１１０に収容される浄化処理部１１２が、本発明における「被処理水の浄化処理を行なう浄化処理部」に相当する。
【００１６】
水質測定センサ１２０は、各浄化槽１１０に割り当てられた水質測定センサとして構成される。この水質測定センサ１２０は、典型的にはＢＯＤ（生物化学的酸素要求量）、濁度、透視度、ＳＳ（浮遊懸濁物質量）、ｐＨ、ＤＯ（溶存酸素）、紫外線（ＵＶ）吸光度等のうちの１または複数の測定を行なう水質測定センサとして構成される。なお、本実施の形態では、各槽において処理される排水および当該排水を処理する処理過程において流れる水を「被処理水」ないし「水」と記載する。ここでいう水質測定センサ１２０が、本発明における「水質測定センサ」に相当する。
【００１７】
通信端末１３０は、水質測定センサ１２０に接続され、水質測定センサ１２０によって連続的ないし定期的に測定された水質情報を、通信回線１４０を経由して水質管理センター１５０のサーバー１６０に伝送する通信端末として構成される。通信回線１４０は、通信端末１３０のデータ通信に用いるインターネット、携帯電話網、公衆電話回線、無線などの通信回線のうちの少なくとも１つによって構成される。水質測定センサ１２０によって連続的ないし一定期間毎に定期的に測定された水質情報は、通信端末１３０及び通信回線１４０を介して水質管理センター１５０のサーバー１６０に伝送され、このサーバー１６０にて記憶されるように構成されている。ここでいう通信端末１３０及び通信回線１４０によって、本発明における「伝送装置」が構成される。
【００１８】
一方、水質検査部１７０においては、浄化槽１１０の浄化処理部１１２から法定検査等の時期に採水された水の水質分析が分析者によって行なわれる。この水質検査部１７０において分析された水の水質分析結果は、水質管理センター１５０のサーバー１６０に記憶される。
【００１９】
ここで水質管理センター１５０に設けられたサーバー１６０の具体的な構成に関しては、図２が参照される。図２には、図１中のサーバー１６０のシステム構成が示される。この図２に示すように、本実施の形態のサーバー１６０は、データベース１６０ａ、演算処理部１６６、出力処理部１６７及び更新処理部１６８を少なくとも有する。ここでいう水質管理センター１５０ないしサーバー１６０は、複数の浄化槽１１０の水質測定センサ１２０によって測定された浄化処理部１１２の水質を管理する単一の水質管理装置であり、本発明における「水質管理装置」に相当する。また水質管理センター１５０のデータベース１６０ａには、物件テーブル１６１、浄化槽・センサ組み合わせテーブル１６２、変換式テーブル１６３、ＢＯＤ入力テーブル１６４及びＢＯＤ出力テーブル１６５が少なくとも含まれる。このデータベース１６０ａに含まれる各データテーブルは、複数のデータを組み合わせて配置した「テーブル」或いは「データ群」とも称呼される。このサーバー１６０（水質管理センター１５０）は、複数の浄化槽１１０から離間した遠隔地において水質の監視を行なう「遠隔監視装置」とも称呼される。
【００２０】
物件テーブル１６１は、複数の浄化槽のそれぞれを識別可能な浄化槽識別情報Ａ、浄化槽型式情報Ｂ及びセンサ型式情報Ｃを浄化槽識別情報Ａに対応させて記憶するデータテーブルとして構成される。ここで、浄化槽識別情報Ａとして、典型的には複数の浄化槽の中での特定が可能な、浄化槽の個体情報（固定番号等）が用いられる。ここでいう物件テーブル１６１が、本発明における「第１のデータテーブル」及び「第３のデータテーブル」を構成している。
【００２１】
浄化槽・センサ組み合わせテーブル１６２は、複数の浄化槽のそれぞれの型式を示す浄化槽型式情報Ｂ、及び複数の浄化槽のそれぞれに割り当てられた水質測定センサ１２０の型式を示すセンサ型式情報Ｃを、これら浄化槽型式情報Ｂ及びセンサ型式情報Ｃの組み合わせによって規定される組み合わせ情報Ｄとともに記憶するデータテーブルとして構成される。ここで、浄化槽型式情報Ｂとして、典型的には浄化槽の製品名に関する情報や、浄化槽の処理方式或いは処理方式の組み合わせを示す情報や、浄化槽の処理性能を示す情報や、浄化槽の大きさや人槽を示す情報等が用いられる。浄化槽型式情報Ｂの処理方式として、例えば被処理水中の浮遊物をろ過処理するろ過槽の有無や、滞留時間を調整する流量調整機能を備えた流量調整部の有無などを用いることができる。また、浄化槽型式情報Ｂの処理性能として、例えばＢＯＤ除去タイプや、ＢＯＤおよび窒素除去タイプなどを用いることができる。また、センサ型式情報Ｃとして、典型的には水質測定センサの種類及び対象水質等の特定が可能な、水質測定センサの個体情報（固定番号等）が用いられる。
なお、複数の浄化槽に割り当てられた水質測定センサ１２０の型式が全て同一のときには、センサ型式情報Ｃを省略し、浄化槽型式情報Ｂのみから組み合わせ情報Ｄを規定することもできる。また、複数の浄化槽の型式が全て同一のときには、浄化槽型式情報Ｂを省略し、センサ型式情報Ｃのみから組み合わせ情報Ｄを規定することもできる。ここでいう浄化槽・センサ組み合わせテーブル１６２が、本発明における「第２のデータテーブル」を構成している。
【００２２】
変換式テーブル１６３は、水質測定センサ１２０に関するセンサ測定値を水質値に換算可能な変換式情報Ｅを、組み合わせ情報Ｄに対応させて記憶するデータテーブルとして構成される。すなわち、浄化槽型式情報Ｂとセンサ型式情報Ｃとの組み合わせ情報Ｄに応じて、センサ測定値を水質値に換算するのに使用する変換式情報が特定されることとなる。また、この変換式テーブル１６３では、水質測定センサ１２０に関するセンサ測定値を水質値に換算可能な変換式情報Ｅを、組み合わせ情報Ｄにかえて浄化槽識別情報Ａに対応させて記憶することもできる。ここでいう変換式テーブル１６３が、本発明における「第４のデータテーブル」に相当する。
【００２３】
ＢＯＤ入力テーブル１６４は、水質測定センサ１２０に関するセンサ測定値と、そのときの水を実際に採水して分析したときの水質分析値を記憶するデータベースとして構成される。ここでいうＢＯＤ入力テーブル１６４が、本発明における「第５のデータテーブル」に相当する。なお、上記テーブル１６１〜１６４は、それらのうちの全部または一部のテーブルが統合された構成であってもよい。
【００２４】
演算処理部１６６は、水質測定センサ１２０によって実際に測定されたセンサ測定値を、変換式テーブル１６３に記憶された変換式情報Ｅに適用することにより推定ＢＯＤ（推定水質値）を演算する機能を有する。この演算処理部１６６が、本発明における「演算処理部」に相当する。
【００２５】
出力処理部１６７は、演算処理部１６６によって演算された推定水質値を、浄化槽識別情報Ａに対応させて出力する機能を有する。これにより、浄化槽識別情報Ａに対応する推定水質値が出力処理部１６７によって出力される。この出力処理部１６７が、本発明における「出力処理部」に相当する。なお、ここでいう出力処理部１６７の出力態様には、浄化槽識別情報Ａに対応する推定水質値が表示画面に表示出力される態様、或いは印字装置によって印字出力される態様のみならず、浄化槽識別情報Ａに対応する推定水質値を所定のデータテーブルに記憶させるべく当該データテーブルに出力される態様等が広く包含される。本実施の形態では、演算処理部１６６によって演算された推定ＢＯＤは、ＢＯＤ出力テーブル１６５においてデータテーブル化される。
【００２６】
更新処理部１６８は、更に、水質測定センサ１２０が設置された部位において採水された水の水質分析結果に基づいて、変換式テーブル１６３に既に記憶された変換式情報Ｅを新たな変換式情報に更新する機能を有する。この更新処理部１６８が、本発明における「更新処理部」に相当する。本実施の形態では、演算処理部１６６によって演算された推定ＢＯＤは、ＢＯＤ出力テーブル１６５において更新される。なお、上記の演算処理部１６６、出力処理部１６７及び更新処理部１６８は、それぞれがサーバー１６０において別個の構成要素とされてもよいし、或いは複数が組み合わせられた構成要素とされてもよい。なお、この更新処理部１６８は、必要に応じて適宜省略することもできる。
【００２７】
上記テーブル１６１〜１６５の具体例に関しては、図３〜図７が参照される。図３〜図７にはそれぞれ、本実施の形態の物件テーブル１６１、本実施の形態の浄化槽・センサ組み合わせテーブル１６２、本実施の形態の変換式テーブル１６３、本実施の形態のＢＯＤ入力テーブル１６４及び本実施の形態のＢＯＤ出力テーブル１６５が示されている。
【００２８】
図３に示す物件テーブル１６１では、浄化槽識別情報Ａや、浄化槽型式情報Ｂ及びセンサ型式情報Ｃを含む情報として、各浄化槽に関する物件ＩＤ、物件名、住所、連絡先、使用人数、人槽、使用開始日、浄化槽型式及びセンサ型式等が記憶される。ここでいう物件ＩＤが、本発明における「浄化槽識別情報」に相当する。
【００２９】
図４に示す浄化槽・センサ組み合わせテーブル１６２では、上記の浄化槽型式情報Ｂ、センサ型式情報Ｃ及び組み合わせ情報Ｄを含む情報として、組み合わせＩＤ、浄化槽型式、センサ型式等が記憶される。図４中において、例えば浄化槽１１０の浄化槽型式が「Ａ型」で、水質測定センサ１２０のセンサ型式が「Ｔ０１」である場合に、組み合わせＩＤが「１」として規定される。ここでいう組み合わせＩＤ、浄化槽型式及びセンサ型式がそれぞれ、本発明における「組み合わせ情報」、「浄化槽型式情報」及び「センサ型式情報」に相当する。なお、複数の浄化槽に割り当てられた水質測定センサ１２０の型式が全て同一のときには、センサ型式を省略でき、浄化槽型式のみから組み合せＩＤを規定することもできる。また、複数の浄化槽の型式が全て同一のときには、浄化槽型式を省略でき、センサ型式のみから組み合せＩＤを規定することもできる。また、本実施の形態の組み合わせ情報Ｄは、浄化槽型式情報Ｂとセンサ型式情報Ｃとの組み合わせによって規定されてグループ分け（或いは区分）される情報であり、「グループ情報」或いは「区分情報」とも称呼される。また、本実施の形態の組み合わせＩＤは、この組み合わせ情報Ｄに関連するとともに、変換式を規定するＩＤであり、「グループＩＤ」或いは「区分ＩＤ」、更には「変換式ＩＤ」とも称呼される。
【００３０】
なお、上記の組み合わせ情報Ｄは、浄化槽型式情報Ｂとセンサ型式情報Ｃとの組み合わせによって規定されるが、この組み合わせのパターンが異なれば必ず組み合わせ情報Ｄが異なるというわけではなく、異なる組み合わせ情報Ｄが付与される場合や、同一の組み合わせ情報Ｄが付与される場合があり得る。例えば、別の型式の浄化槽であっても、浄化槽の処理方式や処理性能が類似のものであって、同一の変換式情報Ｅを用いることが妥当である場合には、浄化槽型式情報Ｂとセンサ型式情報Ｃとの組み合わせが異なる場合であっても同一の組み合わせ情報Ｄを付与することができる。
【００３１】
図５に示す変換式テーブル１６３では、水質測定センサ１２０に関するセンサ測定値を水質値に換算可能な変換式情報Ｅを含む情報として、組み合わせＩＤ、変換式（「換算式」或いは「回帰式」ともいう）、変換式中の係数ａ及びｂが記憶される。図５中において、例えば組み合わせＩＤが「１」である場合に、変換式が「Ｙ＝ａＸ＋ｂ」とされ、その変換式の係数ａが「０．４５２」とされ、その変換式の係数（切片）ｂが「０．８４６」とされる。これら係数ａ，ｂは、変換式テーブル１６３に既に記憶されているセンサ測定値とＢＯＤとの関係を直線近似させることによって導出される。ここでいう変換式及び変換式中の係数ａ及びｂが、本発明における「変換式情報」に相当する。
【００３２】
図６に示すＢＯＤ入力テーブル１６４では、物件ＩＤ、組み合わせＩＤ、日時、センサ測定値、ＢＯＤが記憶される。ここで、センサ測定値とＢＯＤに関しては、所定のタイミングで水質測定センサ１２０によって測定された値がセンサ測定値とされ、同じタイミングで採水された水の水質分析値がＢＯＤとされる。図６中において、例えば物件ＩＤ及び組み合わせＩＤが「１」で、水質測定センサ１２０によるセンサ測定値が「５」である場合に、ＢＯＤが「３．０」とされる。なお、水質分析値とは、水中の水質センサによる分析ではなく、例えば環境計量証明事務所の公定法による水質分析値を指す。
【００３３】
なお、本実施の形態においては、水質測定センサ１２０と通信端末１３０との間に、或いは水質測定センサ１２０自体や通信端末１３０自体に、水質測定センサ１２０が設置された浄化処理部１１２における採水日時を示す情報と、当該採水日時に浄化処理部１１２において採水されたことを示す情報とを対応させて記憶する記憶処理部１３１（「ロガー」ともいう）を設けるのが好ましい（図１参照）。そして、この記憶処理部１３１に記憶された情報が通信回線１４０を介してＢＯＤ入力テーブル１６４に伝送され、当該採水日時に浄化処理部１１２において採水された水のＢＯＤの水質分析結果とともにＢＯＤ入力テーブル１６４にて記憶される。ここでいう記憶処理部１３１が、本発明における「記憶処理部」に相当する。
【００３４】
具体的には、通信端末１３０に接続された手動操作可能な入力装置（典型的には操作スイッチないし操作ボタン）が、採水時に操作されることで記憶処理部１３１が作動する。この記憶処理部１３１は、典型的には通信端末１３０、或いは水質測定センサ１２０の接続された任意の装置に装着される。このとき、採水日時を示す情報と、当該採水日時に浄化処理部１１２において採水されたことを示す情報、すなわち入力装置の操作情報が、一旦記憶処理部１３１にて記憶された後に通信回線１４０を経由して水質管理センター１５０のサーバー１６０に送信され、このＢＯＤ入力テーブル１６４においてＢＯＤの水質分析値に対応して記憶される。このとき、入力装置の操作情報は、当該採水時に水質測定センサ１２０によって測定されたセンサ測定値とは別個に、通信回線１４０を経由して水質管理センター１５０のサーバー１６０に送信されてもよいし、或いは当該採水時に水質測定センサ１２０によって測定されたセンサ測定値とともに、通信回線１４０を経由して水質管理センター１５０のサーバー１６０に送信されてもよい。
【００３５】
このような構成によれば、所定の採水日時に採水された水の水質分析結果と、当該採水日時に水質測定センサ１２０によって測定されたセンサ測定値を適正に対応させることが可能となる。なお、必要に応じては、記憶処理部１３１を適宜省略し、少なくとも入力装置の操作情報が、そのまま通信回線１４０を経由して水質管理センター１５０のサーバー１６０に送信されるように構成してもよい。
【００３６】
図７に示すＢＯＤ出力テーブル１６５では、物件ＩＤ、組み合わせＩＤ、日時、センサ測定値、推定ＢＯＤが記憶される。この推定ＢＯＤは、センサ測定値が変換式テーブル１６３の変換式に基づいて導出された推定値とされる。図７中において、例えば物件ＩＤ及び組み合わせＩＤが「１」で、水質測定センサ１２０によるセンサ測定値が「１９」である場合に、変換式により換算された推定ＢＯＤが「９．４」とされる。この推定ＢＯＤは、水質測定センサ１２０から定期的に取り込まれたセンサ測定値から導出されて、ＢＯＤ出力テーブル１６５に追加して記憶される構成であるのが好ましい。
【００３７】
ここで、ＢＯＤ出力テーブル１６５において推定ＢＯＤを更新する手順を図８〜図１１を参照しつつ説明する。なお、図８には、変換式テーブルの更新の前後でのセンサ測定値とＢＯＤとの直線近似の様子が示され、図９には、図６のＢＯＤ入力テーブル１６４が更新された後のＢＯＤ入力テーブル１６４ａが示される。また図１０には、図５の変換式テーブル１６３が更新された後の変換式テーブル１６３ａが示される。更に図１１には、図７のＢＯＤ出力テーブル１６５が更新された後のＢＯＤ出力テーブル１６５ａが示される。
【００３８】
本実施の形態では、ＢＯＤ出力テーブル１６５における推定ＢＯＤの更新に際し、物件ＩＤが「５」で組み合わせＩＤが「１」の浄化槽に関し、センサ測定値とＢＯＤとの組み合わせが新たに追加された場合を考える。図９に示す例では、２００８年２月２５日の１４時の水質に関し、水質測定センサ１２０によって測定されたセンサ測定値である「４０」と、その測定時に採水された水の水質分析値（ＢＯＤ）である「２０」との関係が追加されている。従って、変換式テーブル１６３に既に記憶されているセンサ測定値とＢＯＤとの関係に対し、センサ測定値とＢＯＤとの更なる関係を追加したうえで、全体としてのセンサ測定値とＢＯＤとの関係を公知の手法によって直線近似させる。
【００３９】
この直線近似に関しては図８が参照される。図８では、更新前におけるセンサ測定値とＢＯＤとの関係が○：プロットＰ１及び近似直線Ｌ１で示される一方、更新後におけるセンサ測定値とＢＯＤとの関係が△：プロットＰ２及び近似直線Ｌ２で示される。更新後の近似直線Ｌ２の係数を導出した場合、例えば係数ａが「０．４８４」とされ、係数ｂが「０．４７６」とされる。従って、図５中の変換式テーブル１６３のうち、組み合わせＩＤが「１」のときの係数ａ及びｂが更新されることによって、新たに図１０中の変換式テーブル１６３ａが記憶される。更に、この更新された変換式テーブル１６３ａを用いることによって、センサ測定値に基づいて推定ＢＯＤが導出される。例えば２００８年４月１０日の１５時の水質に関し、更新前においては図７に示すようにセンサ測定値が「１９」である場合の推定ＢＯＤが「９．４」であったのに対し、更新後においては図１１に示すようにセンサ測定値が「１９」である場合の推定ＢＯＤが「９．７」とされる。
【００４０】
上記のように、本実施の形態の水質管理システム１００によれば、複数の浄化槽の水質を、水質管理センター１５０のサーバー１６０において一元的に管理することが可能となる。また、水質測定センサ１２０の種類が変った場合であっても、サーバー１６０の変換式テーブル１６３に記憶された変換式情報Ｅのみを変更することによって対応可能であるため合理的である。また、変換式テーブル１６３に記憶された変換式情報Ｅが常に最新の変換式情報に更新される構成を採用することによって、水質測定センサ１２０のセンサ測定値から導出される推定ＢＯＤの信頼性向上を図るのに有効とされる。また、水質測定センサ１２０自体に変換式情報Ｅを記憶させる必要がなく水質測定センサ１２０のコスト低減を図ることができ、また複数の浄化槽１１０の水質に関する情報を単一の水質管理装置において一括して処理する構成であるため、水質管理システムの構築に必要なコストを抑えることが可能となる。
【００４１】
また、本実施の形態の水質管理システム１００によれば、水質予測の正確性が増すため、多大な物件数の浄化槽を維持管理するにあたり、維持管理の精度が上がり、品質向上が図られる。更には、異常の予測精度も上がるため、水環境の改善に貢献することが可能となる。また、公定法による水質分析ではＢＯＤの測定に５日間程度の期間が必要であり、浄化槽の処理性能に異常があった場合には最低でも当該期間の経過後に対処することとなるが、本システムを用いれば、浄化槽の処理性能を常時監視することで、水質センサからの推定ＢＯＤが精度良く瞬時に把握されるため、浄化槽の処理性能が悪化する前に対処することが可能となり、水環境に与える悪影響を最小限に食い止めることができる。更には、事態が既に悪化した状態に対処する場合に比べて対応作業が容易であり、異常時の現場対応作業の低減による維持管理コスト低減を図ることが可能となる。
また、本システムを用いれば、推定水質値に基づいて、水質分析をしなくても目標水質（例えば、ＢＯＤ：２０）をクリアしていることが明らかな場合には、適宜公定法による水質分析を省略する等、水質分析回数を減らして余分な水質分析を削減することができ、水質分析コスト低減を図ることが可能となる。
また、本システムを用いれば、浄化槽の維持管理経験および専門知識を有する浄化槽維持管理業者だけでなく、例えば市町村の浄化槽整備担当者などのように、浄化槽の維持管理に直接従事しない浄化槽管理者であっても、浄化槽の異常判断を簡便に行うことができ、異常時対応のスピードアップが図られるとともに、日常業務の煩雑さから開放されるという効果が得られる。
【００４２】
〔他の実施の形態〕
なお、本発明は上記の実施の形態のみに限定されるものではなく、種々の応用や変形が考えられる。例えば、上記実施の形態を応用した次の各形態を実施することもできる。
【００４３】
上記実施の形態の水質管理システム１００では、水質測定センサ１２０がＢＯＤに関する水質測定を行なう例について記載したが、ＢＯＤ以外の水質、例えば濁度、透視度、ＳＳ（浮遊懸濁物質量）、ｐＨ、ＤＯ（溶存酸素）、紫外線（ＵＶ）吸光度等の水質測定を行なう場合についても同様に本発明を適用することが可能である。
【００４４】
また、上記実施の形態の水質管理システム１００では、各浄化槽１１０の浄化処理部１１２に１つの水質測定センサ１２０が設置される場合について記載したが、本発明では、１または複数の水質測定センサを浄化処理部に割り当てることが可能である。
【図面の簡単な説明】
【００４５】
【図１】本発明に係る「水質管理システム」の一実施の形態である水質管理システム１００の概要を示す図である。
【図２】図１中のサーバー１６０のシステム構成を示す図である。
【図３】本実施の形態の物件テーブル１６１を示す図である。
【図４】本実施の形態の浄化槽・センサ組み合わせテーブル１６２を示す図である。
【図５】本実施の形態の変換式テーブル１６３を示す図である。
【図６】本実施の形態のＢＯＤ入力テーブル１６４を示す図である。
【図７】本実施の形態のＢＯＤ出力テーブル１６５を示す図である。
【図８】変換式テーブルの更新の前後でのセンサ測定値とＢＯＤとの直線近似の様子を示す図である。
【図９】図６のＢＯＤ入力テーブル１６４が更新された後のＢＯＤ入力テーブル１６４ａを示す図である。
【図１０】図５の変換式テーブル１６３が更新された後の変換式テーブル１６３ａを示す図である。
【図１１】図７のＢＯＤ出力テーブル１６５が更新された後のＢＯＤ出力テーブル１６５ａを示す図である。
【符号の説明】
【００４６】
１００…水質管理システム
１１０…浄化槽
１１１…浄化槽本体
１１２…浄化処理部
１２０…水質測定センサ
１３０…通信端末
１３１…記憶処理部
１４０…通信回線
１５０…水質管理センター
１６０…サーバー
１６０ａ…データベース
１６１…物件テーブル
１６２…浄化槽・センサ組み合わせテーブル
１６３…変換式テーブル
１６４…ＢＯＤ入力テーブル
１６５…ＢＯＤ出力テーブル
１６６…演算処理部
１６７…出力処理部
１６８…更新処理部
１７０…水質検査部  
Ａ…浄化槽識別情報
Ｂ…浄化槽型式情報
Ｃ…センサ型式情報
Ｄ…組み合わせ情報
Ｅ…変換式情報
【図１】
2010264415.tif 000003
【図２】
2010264415.tif 000004
【図３】
2010264415.tif 000005
【図４】
2010264415.tif 000006
【図５】
2010264415.tif 000007
【図６】
2010264415.tif 000008
【図７】
2010264415.tif 000009
【図８】
2010264415.tif 000010
【図９】
2010264415.tif 000011
【図１０】
2010264415.tif 000012
【図１１】
2010264415.tif 000013